(57)【要約】【課題】追い焚き配管の洗浄回数を抑制することによって捨て水・捨て湯の量を減らし、経済性に優れた給湯装置を提供する。【解決手段】熱交換器部１で発生するドレン水を浴槽Ｂ内の湯水の追い焚き用の配管８，９を介してドレン水排出用の配管２３に供給できる構成を備えた給湯装置において、追い焚き用の配管８，９に清浄な湯水を供給する配管２８と、浴槽Ｂ内の湯水の排水を検出する排水検出手段２７とを備え、排水検出手段２７によって浴槽Ｂ内の排水を検出したことを条件に、ドレンタンク１６に貯留されたドレン水を追い焚き用の配管８，９を介してドレン水排出用の配管２３に供給して排出した後に、追い焚き用の配管８，９に清浄な水を供給して追い焚き用の配管８，９を洗浄するように構成することで、残り湯の洗浄のみを目的とした追い焚き用の配管８，９の洗浄を省略して捨て水の量を少なくする。【選択図】図１
2013210115.tif 000002
【特許請求の範囲】
【請求項１】
浴槽との間に追い焚き用の配管を備えるとともに、熱交換器部で発生するドレン水を前記追い焚き用の配管を介してドレン水排出用の配管に供給可能な構成を備えた給湯装置において、
前記追い焚き用の配管に清浄な湯水を供給する湯水供給手段と、
前記浴槽内の湯水の排水を検出する排水検出手段と、
制御部とを備え、
前記制御部は、前記排水検出手段によって浴槽内の湯水の排水を検出したことを条件に、前記ドレン水を前記追い焚き用の配管を介してドレン水排出用の配管に供給させる処理を実行した後に、前記湯水供給手段により追い焚き用の配管に清浄な湯水を供給して追い焚き用の配管を洗浄する処理を実行する制御構成を備えている
ことを特徴とする給湯装置。
【請求項２】
前記熱交換器部で発生するドレン水を貯留するドレン水貯留タンクと、
前記ドレン水貯留タンク内の水位を検出する水位検出手段とが備えられ、
前記制御部は、前記排水検出手段によって浴槽内の湯水の排水を検出したことに加えて、前記水位検出手段で検出されるドレン水貯留タンク内の水位が所定水位以上であることを条件として、前記ドレン水を前記追い焚き用の配管を介してドレン水排出用の配管に供給させる処理を実行した後に、前記湯水供給手段により追い焚き用の配管に清浄な湯水を供給して追い焚き用の配管を洗浄する処理を実行する制御構成を備えている
ことを特徴とする請求項１に記載の給湯装置。
【請求項３】
前記所定水位は、前記水位検出手段で検出可能な最低水位の近傍に設定されていることを特徴とする請求項２に記載の給湯装置。
【請求項４】
前記湯水供給手段は、浴槽への湯張り又は足し湯のために設けられる注湯手段および／または浴槽への足し水のために設けられる注水手段と兼用されていることを特徴とする請求項１から３のいずれかに記載の給湯装置。
【発明の詳細な説明】
【技術分野】
【０００１】
この発明は給湯装置に関し、より詳細には、一次熱交換器を加熱する燃焼ガスの排ガスに含まれる潜熱を利用して一次熱交換器に供給される湯水を加熱する二次熱交換器を備えた給湯装置において、二次熱交換器で発生するドレン水を排水する技術に関する。
【背景技術】
【０００２】
従来、給湯装置においては、給湯や浴槽の湯張りなどに使用する温水を生成する一次熱交換器を加熱する燃焼ガスの排ガスに含まれる潜熱を利用して一次熱交換器に供給される湯水を加熱する二次熱交換器を備えたものが提案されている。
【０００３】
この種の給湯装置では、二次熱交換器において酸性のドレン水が発生することから、当該ドレン水を外部に排出する必要があり、そのための構成として、ふろの追い焚き用に浴槽と給湯装置の間に備えられた配管（追い焚き配管）を利用してドレン水を外部に排出するように構成したものがある（たとえば、特許文献１参照）。
【０００４】
このように追い焚き配管を利用してドレン水を外部に排出する構成を採用する場合、ドレン水の排出後に追い焚き配管内には酸性のドレン水が付着残留することになるので、ドレン水の排出後に、追い焚き配管に連通する浴槽への湯水の落し込み配管から追い焚き配管内に清浄な湯水を落し込んで、追い焚き配管内に付着残留したドレン水を洗い流す（洗浄する）機能（ドレン水洗浄機能）が備えられている。
【０００５】
一方、このような給湯装置に関し、最近では、浴槽の残り湯の排水を検出した際に、追い焚き配管内に残留付着する残り湯（湯水）を清浄な湯水で洗い流す機能（残り湯洗浄機能）を付加したものも提案されている。この残り湯洗浄機能は、上述したドレン水洗浄機能と同様に、追い焚き配管に連通する浴槽への湯水の落し込み配管から追い焚き配管内に清浄な湯水を落し込んで、追い焚き配管内に付着残留した残り湯を洗い流す（洗浄する）機能であり、この機能はドレン水洗浄機能とは独立して機能するようになっている。
【先行技術文献】
【特許文献】
【０００６】
【特許文献１】特開２００９−２７０７９８号公報
【発明の概要】
【発明が解決しようとする課題】
【０００７】
しかしながら、このようにドレン水洗浄機能と残り湯洗浄機能とを備えた給湯装置において、これら機能を相互に独立して動作させていたのでは、各機能が動作する度に湯水の落し込み配管から清浄な湯水が追い焚き配管に供給されることになる。そのため、たとえば、残り湯洗浄機能の動作終了から短時間のうちにドレン水排水機能が動作するような場合には、短時間のうちに追い焚き配管に清浄な湯水の落し込み（供給）が２度繰り返されることとなり、追い焚き配管の洗浄に伴う捨て水（捨て湯）の量が多くなり、不経済であった。
【０００８】
本発明は、このような問題点に鑑みてなされたものであって、その目的とするところは、追い焚き配管の洗浄回数を抑制することによって捨て水・捨て湯の量を減らし、経済性に優れた給湯装置を提供することにある。
【課題を解決するための手段】
【０００９】
上記目的を達成するため、本発明の請求項１に記載された給湯装置は、浴槽との間に追い焚き用の配管を備えるとともに、熱交換器部で発生するドレン水を上記追い焚き用の配管を介してドレン水排出用の配管に供給可能な構成を備えた給湯装置において、上記追い焚き用の配管に清浄な湯水を供給する湯水供給手段と、上記浴槽内の湯水の排水を検出する排水検出手段と、制御部とを備え、上記制御部は、上記排水検出手段によって浴槽内の湯水の排水を検出したことを条件に、上記ドレン水を上記追い焚き用の配管を介してドレン水排出用の配管に供給させる処理を実行した後に、上記湯水供給手段により追い焚き用の配管に清浄な湯水を供給して追い焚き用の配管を洗浄する処理を実行する制御構成を備えていることを特徴とする。
【００１０】
すなわち、この給湯装置では、浴槽内の湯水（いわゆる残り湯）の排水を排水検出手段が検出したことを条件として、追い焚き用の配管を介したドレン水の排出が行われるとともに、この処理に続いて追い焚き用の配管に清浄な湯水を供給して追い焚き用の配管の洗浄が行われるので、追い焚き用の配管に付着残留する残り湯ならびにドレン水の洗浄が一度の洗浄（湯水供給手段により追い焚き用の配管に清浄な湯水を供給する処理）で行われる。したがって、この給湯装置によれば、追い焚き用の配管に付着残留した残り湯の洗浄のみを目的とした追い焚き用の配管への清浄な湯水の供給を省略することができ、追い焚き用の配管の洗浄に伴う捨て水・捨て湯の量を少なくすることができる。
【００１１】
また、本発明の請求項２に記載の給湯装置は、請求項１に記載の給湯装置において、上記熱交換器部で発生するドレン水を貯留するドレン水貯留タンクと、上記ドレン水貯留タンク内の水位を検出する水位検出手段とが備えられ、上記制御部は、上記排水検出手段によって浴槽内の湯水の排水を検出したことに加えて、上記水位検出手段で検出されるドレン水貯留タンク内の水位が所定水位以上であることを条件として、上記ドレン水を上記追い焚き用の配管を介してドレン水排出用の配管に供給させる処理を実行した後に、上記湯水供給手段により追い焚き用の配管に清浄な湯水を供給して追い焚き用の配管内を洗浄する処理を実行する制御構成を備えていることを特徴とする。
【００１２】
すなわち、この請求項２に係る給湯装置では、熱交換器部で発生するドレン水はドレン水貯留タンクに貯留される。そして、浴槽内の湯水の排水を排水検出手段で検出すること、および、ドレン水貯留タンク内に貯留されたドレン水の水位が所定水位以上であることを条件として、追い焚き用の配管を介したドレン水の排出が行われるとともに、この処理に続いて追い焚き用の配管に清浄な湯水を供給して追い焚き用の配管の洗浄が行われる。つまり、この給湯装置では、浴槽内の湯水の排水を排水検出手段が検出してもドレン水貯留タンク内の水位が所定水位未満である場合にはドレン水を追い焚き用の配管を介してドレン水排出用の配管に供給する処理（ドレン水の排出）は行われない。したがって、この場合、給湯装置が残り湯洗浄機能を備えていれば、浴槽内の湯水の排水を排水検出手段が検出したことを条件に、追い焚き用の配管に付着残留する残り湯の洗浄のみを目的として追い焚き用の配管への清浄な湯水の供給が行われる。
【００１３】
そのため、この給湯装置によれば、ドレン貯留タンク内のドレン水が少ない場合には、追い焚き用の配管を介したドレン水の排出は行われないので、ドレン水の排出処理に伴う給湯装置の動作を省略することができ、ドレン水の排出処理に伴って動作する部品の消耗を抑制することができる。
【００１４】
また、本発明の請求項３に記載の給湯装置は、請求項２に記載の給湯装置において、上記所定水位は、上記水位検出手段で検出可能な最低水位の近傍に設定されていることを特徴とする。
【００１５】
すなわち、この請求項３に係る給湯装置では、ドレン水貯留タンク内の水位が水位検出手段で検出可能な最低水位の近傍の水位未満のとき、つまり、ドレン水貯留タンクが空に近いときには追い焚き用の配管を介したドレン水の排出は行われない。したがって、この給湯装置では、ドレン水貯留タンクに少しでもドレン水が貯まっているときには、浴槽の湯水の排出に伴って積極的にドレン水の排出処理とこの処理に続く追い焚き用の配管の洗浄が行われるので、ドレン水貯留タンクがドレン水で満たされることが回避される。
【００１６】
また、本発明の請求項４に記載の給湯装置は、請求項１から３のいずれかに記載の給湯装置において、上記湯水供給手段は、浴槽への湯張り又は足し湯のために設けられる注湯手段および／または浴槽への足し水のために設けられる注水手段と兼用されていることを特徴とする。
【００１７】
すなわち、この請求項４に係る給湯装置では、追い焚き用の配管に清浄な湯水を供給する湯水供給手段が、浴槽への湯張り又は足し湯のために設けられる注湯手段および／または浴槽への足し水のために設けられる注水手段と兼用されるので、追い焚き用の配管の洗浄のために新たな構成を追加する必要がなく、制御部の制御構成を変更するだけで本発明を適用できる。
【発明の効果】
【００１８】
本発明によれば、浴槽内の湯水の排水の検出を条件として、追い焚き用の配管を介したドレン水の排出と、それに続いて追い焚き用の配管の洗浄が行われるので、追い焚き用の配管に付着残留する残り湯とドレン水の洗浄を一度に行うことができ、追い焚き用の配管の洗浄に伴う捨て水・捨て湯の量を少なくすることができ、経済性に優れた給湯装置を提供することができる。
【図面の簡単な説明】
【００１９】
【図１】本発明が適用される給湯装置の概略構成を示す構成図である。
【図２】同給湯装置におけるドレン水の排水および追い焚き配管の洗浄手順の一例を示すフローチャートである。
【発明を実施するための形態】
【００２０】
以下、本発明の実施形態を図面に基づいて詳細に説明する。
図１は本発明が適用される給湯装置の概略構成を示している。この図１に示す給湯装置は、図示しないカランなどの給湯栓に温水を供給する給湯機能と、浴槽Ｂ内の湯水を沸かし上げるふろ追い焚き機能とを備えた給湯装置（ふろ給湯器）であって、本発明に関連して、この給湯装置には、後述する熱交換器部１で発生するドレン水をふろの追い焚き用の配管を用いて排出する機能と、ドレン水の排出後にふろの追い焚き用の配管を洗浄する機能とが備えられている。
【００２１】
この給湯装置の熱交換器部１は、主として給湯用の温水を生成する給湯用の熱交換器部１ａと、主としてふろ追い焚き用の温水を生成する追い焚き用の熱交換器部１ｂとで構成されており、これら給湯用および追い焚き用の各熱交換器部１ａ，１ｂにはそれぞれ熱源としてガスバーナ２が備えられている。各熱交換器部１ａ，１ｂは、いずれも潜熱回収型の熱交換器で構成されており、各熱交換器部１ａ，１ｂには、図示しないが、それぞれ一次熱交換器と二次熱交換器とが備えられている。
【００２２】
具体的には、給湯用の熱交換器部１ａは、市水などの水源に接続された入水管３から供給される水を加熱昇温させるもので、バーナ２の燃焼ガスで加熱される一次熱交換器と、一次熱交換器を加熱した燃焼ガスの排ガスに含まれる潜熱を利用する二次熱交換器とを備えており、入水管３から供給される水は二次熱交換器を経て一次熱交換器に供給された後、一次熱交換器から給湯栓と接続された出湯管４に供給されるように構成されている。なお、図示の給湯装置では、入水管３と出湯管４との間に、熱交換器部１ａをバイパスして入水管３から出湯管４に水を供給できるようにしたバイパス管５を備えた構成が示されており、このバイパス管５にはバイパス管５内の流量を制御するバイパス弁６が備えられている。
【００２３】
一方、追い焚き用の熱交換器部１ｂは、浴槽Ｂから供給される湯水を加熱昇温させるもので、上述した給湯用の熱交換器部１ａと同様に、バーナ２の燃焼ガスで加熱される一次熱交換器と、一次熱交換器を加熱した燃焼ガスの排ガスに含まれる潜熱を利用する二次熱交換器とを備えており、浴槽Ｂから供給される湯水は二次熱交換器を経て一次熱交換器に供給された後、一次熱交換器から浴槽Ｂに供給されるように構成されている。
【００２４】
より詳細には、浴槽Ｂには、ふろの追い焚き時に、浴槽Ｂ内の湯水の吸込みと追い焚き用の熱交換器部１ｂで加熱昇温された温水の浴槽Ｂ内への吐出しとを行う循環アダプタ７が備えられており、この循環アダプタ７の吸込口（図示せず）には先端が追い焚き用の熱交換器部１ｂの入水側、すなわち、追い焚き用の二次熱交換器の入水側に接続されたふろ戻り管８が接続されるとともに、循環アダプタ７の吐出口（図示せず）には先端が追い焚き用の熱交換器部１ｂの出湯側、すなわち追い焚き用の一次熱交換器の出湯側に接続されたふろ往き管９が接続されている。
【００２５】
そして、ふろ戻り管８には、ふろの追い焚き時に、循環アダプタ７の吸込口から吸い込んだ湯水を、ふろ戻り管８、追い焚き用の熱交換器部１ｂ、ふろ往き管９を経由して循環アダプタ７の吐出口から吐出させる強制循環を行わせるための循環ポンプ１１と、この強制循環の有無を検出するための水流検出器（図示例では水流スイッチ）１２とが備えられている。なお、ふろの追い焚き時に湯水が強制循環される流路、すなわち、ふろ戻り管８、追い焚き用の熱交換器部１ｂおよびふろ往き管９が追い焚き用の配管（追い焚き配管）を構成している。
【００２６】
１３は給湯用および追い焚き用の熱交換器部１ａ，１ｂの各二次熱交換器で発生する酸性のドレン水を中和するための中和器を示している。この中和器１３は、一端が各熱交換器部１ａ，１ｂの二次熱交換器で発生したドレン水を回収する回収機構（図示せず）と配管１４を介して接続されるとともに、他端が中和器１３で中和されたドレン水を貯留するドレンタンク（ドレン水貯留タンク）１６と配管１５を介して接続されており、二次熱交換器で発生する酸性のドレン水は、逐次、配管１４を介して中和器１３に供給され、中和器１３で中和されてドレンタンク１６に貯留されるように構成されている。
【００２７】
ドレンタンク１６には、タンク内のドレン水の水位を検出する手段として水位電極１７を備えており、この水位電極１７で検出れるドレン水の水位の情報は、給湯装置の制御部１００に与えられるようになっている。ここで、この水位電極１７は、少なくとも、ドレンタンク１６が満水（または満水に近い状態）であることを検出する電極１７ａと、ドレンタンク１６が空（または空に近い状態）であることを検出する電極１７ｂとを備えている。具体的には、ドレンタンク１６内には上下に長さの異なる電極１７ａ，１７ｂが配置され、ドレンタンク１６内の水位が短い電極１７ａの下端以上の高さになると制御部１００はドレンタンク１６が満水（または満水に近い状態）であると判断し、反対に水位が長い電極１７ｂの下端未満の高さになるとドレンタンク１６は空（または空に近い状態）であると判断するように構成されている。
【００２８】
なお、本実施形態では、ドレンタンク１６内の水位を検出する水位検出手段として水位電極１７を用いた場合を示したが、ドレンタンク１６内の水位（特に、本発明との関係ではドレンタンク１６が空または空に近い状態であること）を検出できるセンサであれば水位電極１７以外のセンサ、たとえば、圧力センサを用いることも可能である。
【００２９】
そして、本発明に係る給湯装置では、ドレンタンク１６に貯留された中和後のドレン水の排出に関して、ドレンタンク１６の下部（たとえば、ドレンタンク１６の底面）に配管１８が接続されており、この配管１８の先端が三方弁２０（以下、「器具側の三方弁」と称する）を介してふろ戻り管８に接続され、ドレンタンク１６内のドレン水をこの器具側の三方弁２０を介してふろ戻り管８に供給できるように構成されている。ここで、この器具側の三方弁２０は、ふろ戻り管８において、循環ポンプ１１の上流側、すなわち、循環アダプタ７側に配設されている。そして、この三方弁２０のさらに上流側には、ふろ戻り管８の流路を開閉可能な構造を備えた二方弁２１が備えられている。
【００３０】
また、ふろ往き管９には、ドレン水の排出に関連して、下水に連通する排水管２４に一端が接続されたドレン水排水用の配管２３が三方弁２２（以下、「浴槽側の三方弁」と称する）を介して接続されている。この浴槽側の三方弁２２は、ふろ往き管９の下流側、すなわち、循環アダプタ７の近傍に設けられており、後述するように、ふろ往き管９を介して供給される中和後のドレン水がドレン水排出用の配管２３を介して排水管２４に供給できるように構成されている。
【００３１】
さらに、このドレン水の排出に関連して、本実施形態の給湯装置では、浴槽Ｂ内の湯水（たとえば、入浴後の残り湯など）の排水を検出する排水検出手段２７が備えられている。この排水検出手段２７は、浴槽Ｂ内の湯水の排水が完了したこと（または、排水完了目前の状態であること）を検出するためのセンサで構成されており、図示例では、浴槽Ｂの排水口２５と排水管２４とを接続する配管２６に当該配管２６の通水の有無（つまり、浴槽Ｂからの湯水の排水の有無）を検出するセンサ（たとえば、水流スイッチ）を用いている。この場合、後述する給湯装置の制御部１００は、排水検出手段２７を構成する水流スイッチが水流を検出する（水流ありとなった）ことによって浴槽Ｂの排水開始を検知する。そして、水流を検出しなくなった（水流ありから水流なしに変化した）ことによって浴槽Ｂの排水完了を検知するように構成される。
【００３２】
ところで、この排水検出手段２７としては、図示のように浴槽Ｂからの排水の有無を検出するセンサを用いるほか、たとえば、浴槽Ｂ内の湯水の水位を検出する水位センサを用いることもできる。この場合、給湯装置の制御部１００は、当該水位センサで検出される水位を監視し、単位時間当たりの水位低下量が所定値を超えるときに排水開始を検知するとともに、検出される水位が水位センサで検出可能な下限水位を下回ることで、浴槽Ｂ内の湯水の排水が完了目前の状態であると判断するように構成される。
【００３３】
２８は、後述するドレン水の排出処理後に行われる上記追い焚き配管（ふろ戻り管８、追い焚き用の熱交換器部１ｂおよび往き管９）の洗浄用の湯水、すなわち、洗浄用の清浄な湯水を供給するための配管であって、本実施形態では、この清浄な湯水として、入水管３に供給される水（市水などの水源から供給される水）を用いるように構成した場合を示している。
【００３４】
具体的には、この配管２８は、入水管３におけるバイパス管５との分岐点の上流側からふろ戻り管８における循環ポンプ１１と器具側の三方弁２０との間に接続されており、入水管３に供給される水をふろ戻り管８に供給できるように構成している。そして、この配管２８には、当該配管２８の流路を遮断可能な水電磁弁２９が配設されており、この水電磁弁２９を開閉することでふろ戻り管８への水の供給／停止を制御できるように構成している。つまり、本実施形態の給湯装置では、水源と接続された入水管３と配管２８と水電磁弁２９とで追い焚き配管に清浄な湯水を供給する湯水供給手段を構成している。
【００３５】
なお、本実施形態では、この湯水供給手段として、入水管３に供給される水を追い焚き配管に供給する構成を示したが、湯水供給手段は清浄な湯水の供給ができる構成であれば温水を供給するように構成してもよく、たとえば、出湯管４とふろ戻り管８とを配管接続するとともに、この配管に上記水電磁弁２９に相当する流路を開閉する電磁弁を設けて、出湯管４から供給される温水を追い焚き配管に供給できるように構成することも可能である。
【００３６】
したがって、たとえば、給湯装置が浴槽Ｂへの湯張りや足し湯のための注湯手段（具体的には、出湯管４とふろ戻り管８とを接続する配管と当該配管の流路を開閉する電磁弁）を有している場合は、当該注湯手段を湯水供給手段として兼用させることができる。また、浴槽Ｂへの足し水のための注水手段（具体的には、出湯管４とふろ戻り管８とを接続する配管と当該配管の流路を開閉する電磁弁）を有している場合には、当該注水手段を湯水供給手段として兼用させることができる。さらに、注湯手段および注水手段をそれぞれ有している場合には、これらのいずれか一方または双方を湯水供給手段として兼用することもできる。このように、浴槽Ｂへの湯張りや足し湯、足し水といった機能を備えた給湯装置では、これら機能を実現するために設けられた注湯手段および／または注水手段を湯水供給手段として用いることで、湯水供給手段を別途設けなくとも本発明を適用することができる。
【００３７】
１００は給湯装置の制御部を示しており、この制御部１００には給湯装置の各部を制御するためのマイコンが備えられており、給湯装置に備えられた各種センサ類（たとえば、水流スイッチ１２、水位電極１７、排水検出手段２７など）から与えられる情報や、図示しない給湯装置のリモコン（遠隔操作装置）から与えられる制御信号などに基づいて、給湯装置の各部（たとえば、バイパス弁５、循環ポンプ１１、器具側の三方弁２０、二方弁２１、浴槽側の三方弁２２、水電磁弁２９など）の動作を制御するように構成されている。
【００３８】
次に、本発明に係る給湯装置の動作について説明する。
本発明の給湯装置は、上述したようにカランなどの給湯栓に温水を供給する給湯機能と、浴槽Ｂ内の湯水を沸かし上げるふろ追い焚き機能を備えるとともに、熱交換器部１（具体的には、二次熱交換器）で発生するドレン水を追い焚き配管を用いて排出する機能と、ドレン水の排出後に追い焚き配管を洗浄する機能とを備えている。
【００３９】
Ａ．給湯機能：
給湯機能は、入水管３から供給される水を給湯用の熱交換器部１ａで加熱昇温させて温水を生成し、生成した温水を出湯管４から出湯して給湯栓に供給する機能である。なお、給湯装置における給湯機能は公知であるので、ここでは給湯機能に関する詳細な説明は省略するが、本実施形態に示す給湯装置は、上述したように、給湯用の熱交換器部１ａに潜熱回収型の熱交換器を使用していることから、給湯機能の動作中（給湯用のバーナ２が燃焼中）は、二次熱交換器においてドレン水が発生し、当該ドレン水は回収機構から配管１４を介して中和器１３に供給されるとともに、中和後のドレン水が配管１５を介してドレンタンク１６に貯留される。また、給湯機能の動作中は水電磁弁２９は閉じられ、入水管３からふろ戻り管８への水の供給は遮断されている。
【００４０】
Ｂ．ふろの追い焚き機能：
ふろの追い焚き機能は、浴槽Ｂ内の湯水をリモコンなどで設定された設定温度に沸かし上げる機能であって、この機能が動作する際には、制御部１００は、二方弁２１の流路を開くとともに、器具側の三方弁２０における配管１８（ドレンタンク１６）との流路を閉じて二方弁２１と循環ポンプ１１とを結ぶ流路を開き、さらに浴槽側の三方弁２２における配管２３との流路を閉じて追い焚き用の熱交換器部１ｂと循環アダプタ７の吐出口とを結ぶ流路を開いて、循環ポンプ１１を作動させる。これにより、追い焚き配管に通水が生じ、水流スイッチ１２がこの通水を検出すると、制御部１００が追い焚き用のバーナ２を燃焼させて追い焚き用の熱交換器部１ｂによる湯水の加熱昇温を開始させる。この追い焚き用の熱交換器部１ｂによる加熱昇温は、浴槽Ｂ内の湯水が設定温度になるまで行われる。
【００４１】
なお、この追い焚き機能においても追い焚き用の熱交換器部１ｂには潜熱回収型の熱交換器が使用されているので、追い焚き機能の動作中（追い焚き用のバーナ２が燃焼中）は、二次熱交換器においてドレン水が発生し、当該ドレン水は回収機構から配管１４を介して中和器１３に供給されるとともに、中和後のドレン水が配管１５を介してドレンタンク１６に貯留される。また、この追い焚き機能の動作中も水電磁弁２９は閉じられており、入水管３からふろ戻り管８への水の供給は遮断されている。
【００４２】
Ｃ：ドレン水の排出および追い焚き配管の洗浄機能
次に、ドレン水の排出機能および追い焚き配管の洗浄機能について図２に基づいて説明する。
【００４３】
本実施形態に示す給湯装置は、上述したように熱交換器部１の二次熱交換器で発生するドレン水をドレンタンク１６に貯留するように構成しているため、ドレンタンク１６がドレン水で満水になる前に、同タンク１６内に貯留されたドレン水を排出する必要がある。そのため、本実施形態の給湯装置では、このドレン水の排出を、入浴後の浴槽Ｂの残り湯（湯水）の排水に続けて行うようにしている。
【００４４】
具体的には、ユーザが浴槽Ｂの排水口２５を塞ぐ排水栓（図示せず）を開いて浴槽Ｂ内の湯水の排水を開始すると、浴槽Ｂ内の湯水は排水口２５から配管２６を通って排水管２４に供給されるので（図１の鎖線参照）、制御部１００はこの配管２６の通水を排水検出手段２７で検出して排水開始を検知する（図２ステップＳ１参照）。
【００４５】
そして、浴槽Ｂの排水が完了すると、配管２６への通水が止まるので、制御部１００はこの通水停止を排水検出手段２７で検出して排水の完了を検知する（図２ステップＳ２参照）。
【００４６】
なお、排水検出手段２７として浴槽Ｂの水位を監視する水位センサを用いている場合には、制御部１００は、この水位センサで検出される水位の変化から排水開始を検知し、水位センサで検出される水位が検出可能な下限水位を下回ったときに浴槽Ｂ内の湯水の排水が完了したと判断する（正確には排水完了目前の状態であるが、ドレン水排出処理の開始条件としては排水完了と擬制する）。
【００４７】
このようにして、制御部１００が浴槽Ｂの排水の完了を検知すると、次に、制御部１００は、ドレンタンク１６にドレン水があるか否かを判断する（図２ステップＳ３参照）。ここで、ドレンタンク１６にドレン水があるか否かの判断は、ドレンタンク１６に備えられた水位検出手段（水位電極）１７により行われる。本実施形態では、この判断は、ドレンタンク１６が空（または空に近い状態）であることを検出する電極１７ｂを用いて行われ、電極１７ｂがドレン水の水位を検出している（ドレンタンク１６内の水位が電極１７ｂの下端以上の水位であれば、ドレンタンク１６にドレン水がある（貯留されている）と判断する。
【００４８】
そして、ドレンタンク１６内にドレン水があると判断した場合には、制御部１００はドレンタンク１６内に貯留されているドレン水の排出処理を開始する（図２ステップＳ４参照）。すなわち、本実施形態に示す給湯装置では、浴槽Ｂの湯水の排出が完了することを条件に、ドレンタンク１６内のドレン水の排出処理を開始するように構成されている。
【００４９】
このドレン水の排出処理は、図１に一点鎖線で示す経路で行われる。具体的には、ドレン水の排出処理にあたり、制御部１００は、二方弁２１を閉じるとともに、器具側の三方弁２０の配管１８（ドレンタンク１６）に連通する流路を開いてドレンタンク１６と給湯装置内のふろ戻り管８とを連通状態とし、さらに浴槽側の三方弁２２の配管２３と連通する流路を開いてふろ往き配管９と排水管２４とを連通状態にして、循環ポンプ１１を作動させる。これにより、ドレンタンク１６内のドレン水は、器具側の三方弁２０から給湯装置内のふろ戻り管８および追い焚き用の熱交換器部１ｂを通って浴槽側の三方弁２２に導かれ、浴槽側の三方弁２２から配管２３を経て排水管２４に供給される（つまり、ドレン水は追い焚き配管を介して排水管２４から排出される）。このとき、器具側の三方弁２０の二方弁二方２１側の流路は閉じられており、しかも、二方弁２１も閉じられているので、ドレン水が器具側の三方弁２０の上流側、つまり、循環アダプタ７側に配設されたふろ戻り管８（主に給湯装置の外部に配設されるふろ戻り管８）を介して浴槽Ｂに流出することがないようになっている。
【００５０】
なお、このドレン水の排出処理の実行中は、水電磁弁２９は閉じられており、入水管３からふろ戻り管８への水の供給は遮断されている。そして、このドレン水の排水処理は、ドレンタンク１６内のドレン水がなくなるまで（ドレンタンク１６が空になるまで）行われる。たとえば、制御部１００は、水位電極１７ｂが水位を検出しなくなってから一定時間が経過するまではドレン水の排出処理を継続し、ドレンタンク１６が空になったと判断できる状態になると、ドレン水の排出処理を終了して、次の追い焚き配管の洗浄処理を開始する（図２ステップＳ５参照）。
【００５１】
この追い焚き配管の洗浄処理は、図１の二点鎖線で示すように、追い焚き配管に清浄な湯水を供給して追い焚き配管内に付着したドレン水などを洗い流す処理であって、この処理では、制御部１００は、二方弁２１を開くとともに、器具側の三方弁２０の配管１８（ドレンタンク１６）に連通する流路を閉じてドレンタンク１６とふろ戻り管８との連通状態を解除し（つまり、ドレンタンク１６からのドレン水の排出を停止させる）、循環アダプタ７から追い焚き用の熱交換器部１ｂにかけてのふろ戻り管８を連通状態とする。また、このとき浴槽側の三方弁２２は、配管２３と連通する流路を閉じてふろ往き管９と循環アダプタ７とを連通状態にする。そして、この状態で水電磁弁２９を開いて入水管３に供給される清浄な水がふろ戻り管８に供給されるようにする。これにより、ふろ戻り管８に供給された清浄な水が、その水圧によって、器具側の三方弁２０、二方弁２１、循環アダプタ７の吸込口を経て浴槽Ｂの排水口２５から排水管２４に至るルート（ふろ戻り管８を給湯装置外に向かって逆流するルート）と、追い焚き用の熱交換器部１ｂ、浴槽側の三方弁２２、循環アダプタ７の吐出口を経て浴槽Ｂの排水口２５から排水管２４に至るルート（ふろ戻り管８からふろ往き管９に順方向で流れるルート）の２つのルートを通って排水されることとなり、追い焚き配管の全域が清浄な水で洗い流されて洗浄される。このとき循環ポンプ１１は作動させずに停止状態としている。
【００５２】
なお、この追い焚き配管の洗浄処理にあたり、本実施形態では、浴槽側の三方弁２２はふろ往き管９と循環アダプタ７とを連通させるように構成した場合を示したが、この三方弁２２は、ふろ往き管９と配管２３とを連通させるように構成してもよい。要は、追い焚き用の配管の洗浄が行われる構成であれば、浴槽側の三方弁２２は、循環アダプタ７または配管２３のいずれとふろ往き管９とを連通させてもよい。
【００５３】
つまり、本実施形態に示す給湯装置では、浴槽Ｂ内の湯水の排水を排水検出手段２７が検出しときにドレンタンク１６内にドレン水が貯まっていれば、制御部１００が、ドレンタンク１６内に貯留されているドレン水を追い焚き配管を介してドレン水排出用の配管２３に供給してドレン水の排出を行い、その後、ドレン水の排出に続いて追い焚き配管に清浄な水を供給して追い焚き配管を洗浄するようになっているので、ドレンタンク１６にドレン水が貯まっていれば、浴槽Ｂの使用によって追い焚き配管内に付着する残り湯の洗浄と、ドレン水の排出に伴って追い焚き配管に付着するドレン水の洗浄とを一度の洗浄でまとめて行うことができることとなり、追い焚き用の配管に付着残留した残り湯の洗浄のみを目的とした追い焚き配管の洗浄を省略することができ、捨て水の少ない給湯装置を提供することができる。
【００５４】
なお、図２ステップＳ３で、ドレンタンク１６にドレン水がないと判断した場合（図２ステップＳ３でＮｏ）には、制御部１００は、ドレンタンク１６からのドレン水の排水処理は行わずに、追い焚き配管の洗浄のみを行う。ここでの追い焚き配管の洗浄処理は、上述したドレン水の排水処理を伴う追い焚き配管の洗浄処理と同じ内容の処理が行われる。
【００５５】
そのため、ドレンタンク１６にドレン水が貯まっていない場合でも浴槽Ｂの残り湯を排水した場合には、追い焚き配管の洗浄が行われるので、入浴中に追い焚き配管に入った温水の残り湯も入浴後に洗浄され、追い焚き配管を清浄な状態に保つことができる。また、ドレンタンク１６内のドレン水が少ない場合には、追い焚き配管を介したドレン水の排出を行わないことで、ドレン水の排出処理に伴う器具側の三方弁２０や水電磁弁２９や循環ポンプ１１などの動作を省略することができるので、これらドレン水の排出処理に伴って動作する部品の消耗を抑制し、長寿命化を図ることができる。
【００５６】
なお、上述した実施形態は本発明の好適な実施態様を示すものであって、本発明はこれらに限定されることなく発明の範囲内で種々の設計変更が可能である。
【００５７】
たとえば、上述した実施形態では、ドレンタンク１６内のドレン水の排出処理は、ドレンタンク１６内にドレン水が貯まっていることを条件に行われるように構成した場合を示したが、浴槽Ｂの排水を検知した場合には、ドレンタンク１６にドレン水が貯まっているか否かを判断することなくドレン水の排出処理を自動的に行うように構成することも可能である。すなわち、制御部１００は、浴槽Ｂ内の湯水の排水を検出したことを条件に、ドレン水の排出処理に続けて追い焚き配管の洗浄処理を行うように構成しておくこともできる。
【００５８】
また、上述した実施形態では、追い焚き配管の洗浄に使用する清浄な湯水として、入水管３に供給される水を使用した場合を示したが、たとえば、出湯管４から供給される温水を使用して追い焚き配管の洗浄を行うように構成することも可能である。
【００５９】
また、上述した実施形態では、ドレンタンク１６にドレン水があるか否かの判断を、ドレンタンク１６内の水位が電極１７ｂの下端以上であればドレン水があると判断する場合を示した、この判断の基準となる水位は、水位検出手段で検出可能な最低水位の近傍に設定されていればよく、必ずしも水位電極１７ｂの下端以上であることに限定されない。要は、ドレンタンク１６が空または空に近い状態でないことが判断できればよく、この判断基準となる水位は適宜設定変更可能である。
【符号の説明】
【００６０】
１            熱交換器部
１ａ          給湯用の熱交換器部
１ｂ          追い焚き用の熱交換器部
２            バーナ
３            入水管
４            出湯管
７            循環アダプタ
８            ふろ戻り管
９            ふろ往き管
１１          循環ポンプ
１２          水流スイッチ
１３          中和器
１６          ドレンタンク（ドレン水貯留タンク）
１７          水位電極（水位検出手段）
２０          器具側の三方弁
２１          二方弁
２２          浴槽側の三方弁
２３          ドレン水排出用の配管
２４          排水管
２７          排水検出手段
１００        制御部
Ｂ            浴槽
【図１】
2013210115.tif 000003
【図２】
2013210115.tif 000004